(57)【要約】【課題】  カメラに設けられているダイヤルを他の部分に設けられた操作釦によって操作してモード切替等のダイヤル切替を可能にしたダイヤル切替装置を提供する。【解決手段】  カメラボディに設けられて手操作により回転されるダイヤル本体１０３と、ダイヤル本体の回転位置を検出する検出器１０６，１０７と、検出器で検出したダイヤル位置の情報を表示する表示手段と、モータ１１０により回転駆動される回動部材１１８と、ダイヤル切替時にモータを回転駆動させることが可能な操作釦と、回動部材の回転力をダイヤル本体に伝達させるクラッチ手段１１９，１２２とを備える。ダイヤル本体を手操作しなくても、表示手段で確認しながら操作釦の操作によりモータでダイヤル本体を回転し、ダイヤル切替を可能にする。【選択図】  図４
2005257726.tif 000002
【特許請求の範囲】
【請求項１】
カメラボディに設けられて手操作により回転可能なダイヤル本体を、前記カメラボディに設けられた前記ダイヤル本体とは異なる操作手段を操作することにより回転可能に構成したことを特徴とするカメラのダイヤル切替装置。
【請求項２】
カメラボディに設けられ手操作により回転されるダイヤル本体と、前記ダイヤル本体を回転可能な回転駆動手段と、操作されたときに前記回転駆動手段を駆動させる操作手段とを備えることを特徴とするカメラのダイヤル切替装置。
【請求項３】
前記ダイヤル本体の回転位置を検出する検出器と、前記検出器で検出したダイヤル位置の情報を表示する表示手段とを備え、前記表示手段に表示された情報を確認しながら前記操作手段を操作できるように構成したことを特徴とする請求項１又は２に記載のカメラのダイヤル切替装置。
【請求項４】
前記回転駆動手段の回転力を前記ダイヤル本体に伝達、遮断可能なクラッチ手段を備えることを特徴とする請求項２又は３に記載のカメラのダイヤル切替装置。
【請求項５】
前記ダイヤル本体はカメラの撮影モードと設定モードで設定される複数のモードを切り替えるためのモード設定ダイヤルであることを特徴とする請求項１ないし４のいずれかに記載のカメラのダイヤル切替装置。
【請求項６】
前記ダイヤル本体は前記カメラボディの上部に配設され、前記操作手段及び前記表示手段は前記カメラボディの背面に配設されていることを特徴とする請求項３ないし５のいずれかに記載のカメラのダイヤル切替装置。
【請求項７】
前記クラッチ手段は、前記回転駆動手段により回動される回動部材又は前記ダイヤル本体の一方に円周方向に配列されたクリック溝と、他方に設けられて前記クリック溝に弾性力をもって嵌合するクリックボールとで構成されることを特徴とする請求項４ないし６のいずれかに記載のカメラのダイヤル切替装置。
【請求項８】
前記回転駆動手段はＤＣモータ又はステップモータであり、ギヤ機構を介して前記ダイヤル本体を回転駆動する構成であることを特徴とする請求項２ないし７のいずれかに記載のカメラのダイヤル切替装置。
【請求項９】
前記回転駆動手段は超音波モータであり、前記ダイヤル本体と同軸に配設されて当該ダイヤル本体を直接的に回転駆動する構成であることを特徴とする請求項２ないし７のいずれかに記載のカメラのダイヤル切替装置。
【請求項１０】
前記回転位置を検出する検出器は、前記ダイヤル本体の円周方向の一部に設けられた摺動ブラシと、前記ダイヤル本体の円周に沿った領域に配設されて前記摺動ブラシが摺動して電気的な導電状態が切り替えられる導電パターンを有する回路基板とで構成されていることを特徴とする請求項３ないし９のいずれかに記載のカメラのダイヤル切替装置。
【請求項１１】
前記表示手段は撮像する被写体像を表示するＬＣＤモニタで構成することを特徴とする請求項３ないし１０のいずれかに記載のカメラのダイヤル切替装置。
【発明の詳細な説明】
【技術分野】
【０００１】
本発明はカメラの撮影モード等の設定切り替えに用いるダイヤルの切替装置に関し、特にダイヤルを直接的及び間接的に切り替えることを可能にしたダイヤル切替装置に関するものである。
【背景技術】
【０００２】
カメラには撮影に際してのオート撮影、絞り優先撮影、シャッター速度優先撮影等の各種モード（以下、ここでは撮影モードと称する）を切り替えるためのモード設定ダイヤルが設けられるが、このモード設定ダイヤルは通常ではカメラの上面部に設けられ、カメラの上方側から覗き込むようにしてダイヤル位置を確認するようになっている。例えば、特許文献１のカメラではカメラのいわゆる軍艦部の上面にモード設定ダイヤルが配置されている。そのため、カメラを撮影者の眼の高さ以上に持ち上げて手持ちあるいは三脚を用いて撮影する場合のようにカメラを上方側から除き込むことができない場合にはダイヤル位置を確認することが難しい。そのため、モード設定ダイヤルの設定を誤った状態のまま意図しない撮影モードでレリーズ操作を行ってしまうことがあり、適正な撮影ができない場合がある。特に、最近のデジタルカメラには、カメラの背面にモニタが設けられており、このモニタ画面に表示された被写体像を確認しながら撮影を行う場合にはカメラを上方側から覗き込むことが少なくなり、このような問題が生じ易いものとなっている。
【０００３】
また、近年ではカメラの小型化を目的として１つのモード設定ダイヤルで撮影モードの切り替えと共にＷＢ（ホワイトバランス）、ＩＳＯ、画質等の撮影前にカメラに設定することが必要な各種モード（以下、ここでは設定モードと称する）を切り替えるようにしたデジタルカメラが提案されているが、このような場合には、モード設定ダイヤルにて設定モードを切り替えた後に、当該ダイヤルを撮影モード位置に切り替えることを忘れてしまうことがあり、この場合にはレリーズ操作を行っても撮影が行われず、シャッターチャンスを逃がしてしまうおそれもある。なお、カメラにおけるモード設定用のダイヤルとしては特許文献１に記載の構成のものが提案されている。
【特許文献１】特開２００３−４５２９２号公報
【発明の開示】
【発明が解決しようとする課題】
【０００４】
このような問題に対しては、例えばデジタルカメラの場合にはモード設定ダイヤルで設定されている設定モードや撮影モードをモニタ画面に表示させることで撮影者に注意を喚起することが考えられる。この場合には、その表示の一部に現在のモード設定ダイヤルのダイヤル位置を表示させることも可能である。これにより、少なくとも前記したようなモード設定ダイヤルの設定を間違えたまま、あるいはモード設定ダイヤルを撮影モードに設定することを忘れたままレリーズ操作を行う等の不具合を解消することは可能である。
【０００５】
しかしながら、このようにした場合でも、モニタ画面にてモード設定ダイヤルの設定誤りに気がついた場合には、カメラの上部まで手を延ばしてモード設定ダイヤルを操作する必要があり、操作が難しい場合がある一方で、手が届かずに操作できない場合があり、結局、カメラの操作性が悪いものになる。また、カメラの背面側にもモード設定ダイヤルあるいはこれと同等の機能のダイヤルを配設することも考えられるが、カメラの構造が複雑になり、また、複数のモード設定ダイヤルを電気接続する回路構造も複雑なり、さらにはカメラデザイン上の問題も生じることになる。
【０００６】
本発明の目的は、カメラに設けられたモード設定ダイヤル等のダイヤルをカメラに設けられたダイヤルとは異なる操作手段によって操作してモード切替等のダイヤル切替を可能にしたダイヤル切替装置を提供するものである。
【課題を解決するための手段】
【０００７】
本発明のダイヤル切替装置は、カメラボディに設けられて手操作により回転可能なダイヤル本体を、前記カメラボディに設けられた前記ダイヤル本体とは異なる操作手段を操作することにより回転可能に構成したことを特徴とする。また、本発明のダイヤル切替装置は、カメラボディに設けられ手操作により回転されるダイヤル本体と、当該ダイヤル本体を回転可能な回転駆動手段と、操作されたときに回転駆動手段を駆動させる操作手段とを備えることを特徴とする。また、本発明においては、ダイヤル本体の回転位置を検出する検出器と、当該検出器で検出したダイヤル位置の情報を表示する表示手段とを備え、表示手段に表示された情報を確認しながら操作手段を操作できるように構成することが好ましい。さらに、本発明においては、回転駆動手段の回転力をダイヤル本体に伝達、遮断可能なクラッチ手段を備えることが好ましい。ここで、ダイヤル本体はカメラの撮影モードと設定モードで設定される複数のモードを切り替えるためのモード設定ダイヤルとして構成される。また、ダイヤル本体はカメラボディの上部に配設され、操作釦及び表示手段はカメラボディの背面に配設される。
【発明の効果】
【０００８】
本発明によれば、操作手段を操作することによってダイヤル本体を回転させ、モード切替等のダイヤル切替を実現することが可能になる。これにより、ダイヤル本体がカメラの上部に配設されている場合でも、カメラの背面に配設されている操作手段によるダイヤル切替が可能になり、カメラの操作性を向上することが可能になる。また、ダイヤル本体の回転位置を検出器により検出し、この回転位置を表示手段で表示し、その表示を確認しながら操作手段を操作することで、ダイヤル本体を所望の回転位置に設定することが可能になる。
【発明を実施するための最良の形態】
【０００９】
本発明の好ましい形態として、クラッチ手段は、回転駆動手段又はダイヤル本体の一方に円周方向に配列されたクリック溝と、他方に設けられて前記クリック溝に弾性力をもって嵌合するクリックボールとで構成される。また、回転駆動手段はＤＣモータまたはステップモータであり、ギヤ機構を介してダイヤル本体を回転駆動する構成とする。あるいは、回転駆動手段は超音波モータであり、ダイヤル本体と同軸に配設されて当該ダイヤル本体を直接的に回転駆動する構成とする。さらに、回転位置を検出する検出器はダイヤル本体の円周方向の一部に設けられた摺動ブラシと、ダイヤル本体の円周に沿った領域に配設されて摺動ブラシが摺動して電気的な導電状態が切り替えられる導電パターンを有する回路基板とで構成される。また、表示手段は撮像する被写体像を表示するＬＣＤモニタで構成する。
【実施例１】
【００１０】
次に、本発明の実施例を図面を参照して説明する。図１は本発明を一眼レフカメラとして構成したデジタルカメラを背面側からみた概略外観図である。このデジタルカメラはカメラボディ１の前面に図には表れない撮影レンズが着脱可能に装着される。また、カメラボディ１の上部の上飾り１０にはファインダ窓２、ＬＣＤ表示部３、シャッター釦４、モード設定ダイヤル５が配設されている。さらに、カメラボディ１の背面には撮像する被写体像を表示するとともに、撮影モードや設定モード等の各種のデータを表示することが可能なＬＣＤモニタ６が配設され、その隣接位置にモード設定釦７が配設されている。このデジタルカメラでは、前記モード設定ダイヤル５を手操作によって回転することで撮影モードや設定モードの設定が可能であるとともに、前記モード設定釦７を押圧操作することによっても同じ撮影モードや設定モードを設定することができるように構成されている。
【００１１】
図２は前記カメラボディ１の一部を破断して前記モード設定ダイヤル５の全体構成を示す斜視図、図３はそのＡＡ線に沿った１／４円周部を破断した斜視図、図４は縦断面図である。前記カメラボディ１の軍艦部を構成している上飾り１０には円形の開口１０ａが開けられており、この開口１０ａ内に板状をしたカメラボディ１の内部本体１０１が臨まされている。前記内部本体１０１には前記開口１０ａの中心位置においてほぼ垂直に主軸１０２が固定支持されており、この主軸１０２に厚肉円板状のダイヤル本体１０３が遊挿され、手操作によってダイヤル本体１０３を主軸１０２の回りに回転することができるようになっている。前記ダイヤル本体１０３は前記主軸１０２の上部に螺合されたネジ１０４により主軸１０２からの抜け止めされるとともに、前記ダイヤル本体１０３上には円板状の飾りカバー１０５が接着剤等により接着され、前記ネジ１０４を覆い隠すとともに、表面には撮影モードと設定モードを示す指標、ここでは撮影モードとして「Ｐ：プログラム撮影」，「Ａｖ：絞り優先撮影」，「Ｔｖ：シャッター優先撮影」，「Ｂ：バルブ」が表示され、設定モードとして「ＩＳＯ」，「画質」，「ＷＢ」が表示され、合計で７つ、すなわち７つの回転位置に切り替え可能な構成とされている（図１参照）。
【００１２】
前記ダイヤル本体１０３の下部は若干小径に形成されたスリーブ部１０３ａとして構成された上で前記上飾り１０の開口１０ａ内に内挿されており、図５（ａ）に一部の概略斜視図を示すように、ダイヤル本体１０３の下部の周面一部には弾性のある導電板を加工した摺動ブラシ１０６が固定支持されている。また、前記内部本体１０１の上面に沿って支持されたフレキシブル回路基板１０７の一部が前記ダイヤル本体１０３の前記スリーブ部１０３ａ部の周面に対向するように前記開口１０ａの内周面に円筒状に曲げられた状態で配設されている。このフレキシブル回路基板１０７の円筒状部分１０７ａの内面には前記ダイヤル本体１０３を回転したときに前記摺動ブラシ１０６が摺接する導電パターン１０８が形成されており、前記ダイヤル本体１０３の異なる回転位置に対応して導電パターンの導通状態が切り替えられ、これにより前記モード設定ダイヤル５の７つの回転位置が検知されるようになっている。これらの摺動ブラシ１０６と導電パターン１０８は図７において後述するモード位置検出器２１１を構成することになる。なお、前記フレキシブル回路基板１０７の円筒状部分１０７ａの内面に形成された導電パターン１０８は、図５（ｂ）に一部の拡大正面図を示すように、板厚方向に貫通するスルーホール１０８ａによって外面側にまで導出され、当該外面に設けられた配線パターン１０９によってカメラボディ１内に構築されている後述するカメラ回路に電気接続される。
【００１３】
一方、前記ダイヤル本体１０３の下側には図７において後述するようにダイヤル駆動機構２１２が配設されている。このダイヤル駆動機構２１２は駆動源としてＤＣモータ１１０を備えており、前記内部本体１０１の下側において前記主軸１０２の下部にネジ１１１により固定支持されたモータ取付板１１２に固定柱１１３等によって固定支持されている。前記ＤＣモータ１１０の回転軸１１０ａは前記モータ取付板１１２の上側に配置されており、ピニオン１１４が固定支持されている。なお、ＤＣモータ１１０はロータ１１０ｂ及びステータ１１０ｃを備えているがその詳細な説明については省略する。また、前記モータ取付板１１２の上側には軸１１５が立設され、この軸１１５には前記ピニオン１１４に噛合した減速ギヤ１１６が回転可能に遊挿され、止め輪１１７により抜け止めされている。前記減速ギヤ１１６は大径ギヤ１１６ａと小径ギヤ１１６ｂが同軸に一体形成されたもので、大径ギヤ１１６ａが前記ピニオン１１４に噛合されるとともに、小径ギヤ１１６ｂは前記ダイヤル本体１０３の下側において前記主軸１０２に遊挿されている回動部材、すなわちこの実施例ではクラッチギヤ１１８に噛合されている。
【００１４】
前記クラッチギヤ１１８は前記ダイヤル本体１０３とは独立して前記主軸１０２の回りに回転可能であり、前記ダイヤル本体１０３とはクラッチ機構によって連結される構成とされている。このクラッチ機構として、図６に概略斜視図を示すように、ここではクラッチギヤ１１８の上面には円周方向に７等分した位置に円錐状をした凹部からなるクリック溝１１９が形成される。また、前記クリック溝１１９には、前記ダイヤル本体１０３の下面に設けられた盲穴１２０内に内装されたコイルバネ１２１によって下方に向けて付勢されたクリックボール１２２が、弾性的に当接されるようになっている。このクリックボール１２２は前記コイルバネ１２１の弾性力によってその下面側の一部が前記クリック溝１１９に嵌合されており、前記コイルバネ１２１を撓ませるのに必要な力以下では前記ダイヤル本体１０３とクラッチギヤ１１８とを円周方向に一体のクラッチ接続の状態とし、それよりも大きな力が加えられたときにはダイヤル本体１０３をクラッチギヤ１１８から独立した状態で回転することが可能なクラッチ断の状態とする構成とされている。
【００１５】
図７は前記カメラ回路のブロック回路図である。撮影レンズ１１で結像し、光学ローパスフィルタ２０１を通した被写体像を撮像するＣＣＤ撮像素子２０２の撮像信号はアンプ（ＡＭＰ）２０３により増幅され、Ａ／Ｄ変換回路２０４によりデジタル信号に変換された上で信号処理回路２０５により所要の信号とされ、圧縮又は非圧縮回路２０６により圧縮又は非圧縮の状態で画像メモリ２０７に記録される。また、前記撮像信号はＣＰＵ２００に取り込まれ、前記ＬＤＣモニタ６において撮像画像が表示される。
【００１６】
前記ＣＰＵ２００は、前記シャッター釦４の押下によって動作される測光スイッチ・レリーズスイッチ２１０のスイッチ信号、前記モード設定ダイヤル５において手操作により設定され、あるいは後述するように前記モード設定釦７の操作により駆動するダイヤル駆動機構２１２によって回転設定された回転位置をモード位置検出器２１１によって検出されたダイヤル位置信号、前記モード設定釦７が押されときに出力される釦状態信号が入力される。また、絞り１２、可動ハーフミラー１３、焦点板１４、ペンタプリズム１５等を透過した前記撮像レンズ１１により結像される被写体像を測光する測光素子２１３の露出データと前記ＣＣＤ撮像素子２０２の撮像信号とに基づいて露出制御を行う露出制御回路２１４からの露出信号、ＡＦセンサ２２６からの信号も入力される。そして、前記ＣＰＵ２００は、これらの入力された信号に基づいて、シャッタ駆動回路２２０、ミラー駆動機構２２１、絞り駆動機構２２２、ＡＦ（自動焦点）駆動機構２２３を制御し、設定された条件での撮像を実行させる。このとき、前記ＣＰＵ２００は前記露出情報に基づいてストロボ制御回路２２４を制御してストロボ２２５を発光動作させることもある。さらに、前記ＣＰＵ２００は、クロックジェネレータ２３０を制御して、前記ＣＣＤ撮像素子２０２を駆動するためのＣＣＤドライバ２３１に撮像クロックを供給する。なお、同図には、カメラ回路の電源となる電池２３２及びＤＣ／ＤＣコンバータ２３３が図示されている。また、前記ＬＣＤモニタ６の表示の一例も図示されている。
【００１７】
以上の構成のデジタルカメラにおけるモード設定ダイヤル５によるモード設定動作について説明する。撮影者がモード設定を行う場合には、モード設定ダイヤル５を手操作により回転させる。すなわち、撮影者がダイヤル本体１０３を摘んで回転操作すると、ダイヤル本体１０３は主軸１０２の回りに回転され、ダイヤル本体１０３の下部スリーブ部１０３ａ周面に設けられた摺動ブラシ１０６がフレキシブル回路基板１０７の円筒状部分１０７ａの内面に沿って接しながら移動される。これにより、フレキシブル回路基板１０７に設けられた導電パターン１０８の導通状態がダイヤル本体１０３の回転位置に対応して切り替えられ、そのときの導通状態からモード位置が検出され、図７のモード位置検出器２１１から検出されたモード位置がＣＰＵ２００に入力される。ＣＰＵ２００は検出されたモード位置によりカメラ回路の図７に示した各部を制御し、モード位置に対応する撮影モードあるいは設定モードに設定し、適正な撮影が可能になる。
【００１８】
このとき、ダイヤル駆動機構２１２の駆動源としてのＤＣモータ１１０は回転駆動されていないため減速ギヤ１１６を介して連結されているクラッチギヤ１１８は回転がロックされた状態にある。そのため、前述したようにダイヤル本体１０３が回転操作されたときには、クリックボール１２２はコイルバネ１２１を撓ませながらクリック溝１１９から離脱され、あるいはコイルバネの弾性力によってクリック溝に嵌合されながら当該ダイヤル本体１０３のみの回転を可能とし、いわゆるクラッチ断の状態となる。撮影者はこのときのクリック感を得ながら飾りカバー１０５の指標を利用してモード設定ダイヤル５を希望するモードに設定することができる。また、設定されたモードはＣＰＵ２００によって図７に示したような形態でＬＣＤモニタ６に表示される。
【００１９】
一方、被写体をＬＣＤモニタ６の画面で確認しながら撮影を行う場合のように、カメラを撮影者の眼の高さよりも高い位置にセットして撮影を行うような場合には、前述したようにモード設定ダイヤル５によるモード指標を確認することが困難になる。この場合には、ＬＣＤモニタ６に表示されるモードを視認してモード確認を行うことになる。そして、この状態でモードを切り替えるときには、撮影者はモード設定釦７を押圧する。ＣＰＵ２００は、モード設定釦７が押された状態信号、すなわちモード設定信号が入力されたときには、ダイヤル駆動機構２１２のＤＣモータ１１０の駆動を開始する。ＤＣモータ１１０が駆動されてピニオン１１４が回転されると、減速ギヤ１１６が回転され、これに噛合しているクラッチギヤ１１８が回転される。前述のようにダイヤル本体１０３は主軸１０２に遊挿されている構成であるため、クラッチギヤ１１８が回転されるとクリック溝１１９とクリックボール１２２との嵌合力によって、クラッチギヤ１１８の回転力はダイヤル本体１０３にまで伝達されることになり、すなわちクラッチ接の状態となってダイヤル本体１０３はクラッチギヤ１１８と一体的に回転される。これにより、ダイヤル本体１０３の摺動ブラシ１０６はフレキシブル回路基板１０７の導電パターン１０８上を摺動し、モード位置がモード位置検出器２１１によって検出される。そのため、モード設定ダイヤル５を手操作した場合と同様に、ＣＰＵ２００は検出されたモード位置に基づいて対応するモードをＬＣＤモニタ６に表示する。ここで、モード設定釦７が押圧されている間はダイヤル本体１０３は継続して回転動作が行われるため、ＬＣＤモニタ６に表示されるモードも順次切り替えられる。撮影者は希望するモードの表示が行われた時点でモード設定釦７の押圧を開放することで、モード設定を行うことができる。
【００２０】
このように、モード設定釦７の操作によってもモード設定ダイヤル５を回転動作してその回転位置、すなわちモード位置を切り替え、モード位置検出器２１１により検出されるモード位置信号に基づいて当該カメラのモードを切り替えることが可能になる。したがって、カメラを上方側から覗き込むことができず、またモード設定ダイヤル５を回転操作することが難しい撮影状態の場合でも、カメラの背面のＬＣＤモニタ６の表示でモードを確認しながらモード設定を容易に行うことが可能になり、適正な撮影を迅速かつ容易に実現することが可能になる。
【実施例２】
【００２１】
図８は本発明にかかるモード設定ダイヤルの実施例２の斜視図、図９はそのＢＢ線に沿う１／４円周部分を破断した斜視図、図１０は断面図である。実施例２の構成は基本的には実施例１の構成と同じであるので、等価な部分には同一符号を付してある。また、共通する部分の説明は省略する。実施例２では、ダイヤル駆動機構２１２の駆動源として、実施例１のＤＣモータに代えて圧電振動素子１１０Ａとロータを兼ねた円形板１１８からなる超音波モータを用いている。また、回動部材として実施例１のクラッチギヤに代えて円形板１１８Ａを用いている。ここで、超音波モータ自体については既に知られている技術であるのでその原理的な説明は省略するが、前記円形板１１８Ａの直下に円形をした圧電振動素子１１０Ａを配設して内部本体１０１に固定するとともに、円形板１１８Ａの下面が圧電振動素子の上面に押圧した構成がとられている。
【００２２】
この実施例２においても、モード設定ダイヤル５のダイヤル本体１０３を手操作により回転するときには、円形板１１８Ａは圧電振動素子１１０Ａに対して回転が係止された状態にあるので、クリックボール１２２がクリック溝１１９に対して離脱するクラッチ断状態によってダイヤル本体１０３のみを回転することができ、モードの切り替えを行うことが可能になる。また、モード設定釦７を押圧したときには圧電振動素子１１０Ａでの振動によって円形板１１８Ａが回転されるため、クリックボール１２２の嵌合力によるクラッチ接状態によってダイヤル本体１０３が一体的に回転され、モードの切り替えが可能になる。
【００２３】
実施例２では、超音波モータを採用することで薄型かつ小型、軽量に構成できるという利点が得られる。なお、本実施例では回転タイプの超音波モータを使用したがリニアタイプでも構成することは可能である。
【００２４】
実施例１，２における回動部材、すなわち実施例１のクラッチギヤと実施例２の円形板とダイヤル本体とをクラッチ接続するクラッチ手段としてのクリック機構は、摩擦クラッチ機構の一種であるが、この摩擦クラッチ機構として回動部材とダイヤル本体とを摩擦係数の大きな材料を貼り付ける等して構成した摩擦面を当接させた構成であってもよい。また、モード設定釦の押圧に連動して連結動作する電磁的なクラッチ機構とすることも可能である。
【００２５】
実施例１，２では摺動ブラシをダイヤル本体の周面の一部に設け、導電パターンを円筒状にしたフレキシブル回路基板に設けた例を示してが、スペースに余裕がある場合には、摺動ブラシをダイヤル本体の下面の円周一部に設け、導電パターンは内部本体の上面に平面配置した回路基板に設けるようにしてもよい。
【００２６】
本発明は実施例１，２で例示したモード設定ダイヤルに限られるものでなく、手操作によって回転するダイヤルを釦或いはスイッチ操作によってモータにより回転させることによりダイヤルによる設定を可能にするものであれば、他の用途のダイヤルに対しても本発明を適用することが可能である。
【図面の簡単な説明】
【００２７】
【図１】本発明のデジタルカメラの背面側の外観図である。
【図２】実施例１のモード設定ダイヤルの外観斜視図である。
【図３】図２のＡＡ線に沿った部分を破断した斜視図である。
【図４】実施例１のモード設定ダイヤルの断面図である。
【図５】モード位置検出器の概略斜視図である。
【図６】クラッチ機構の概略斜視図である。
【図７】カメラ回路のブロック回路図である。
【図８】実施例２のモード設定ダイヤルの外観斜視図である。
【図９】図８のＢＢ線に沿った部分を破断した斜視図である。
【図１０】実施例２のモード設定ダイヤルの断面図である。
【符号の説明】
【００２８】
１  カメラボディ
３  ＬＣＤ表示部
４  シャッター釦
５  モード設定ダイヤル
６  ＬＣＤモニタ
７  モード設定釦
１０  上飾り
１０１  内部本体
１０３  ダイヤル本体
１０６  摺動ブラシ
１０７  フレキシブル回路基板
１１０  ＤＣモータ
１１０Ａ  圧電振動素子
１１６  減速ギヤ
１１８  クラッチギヤ（回動部材）
１１８Ａ  円形板（回動部材）
１１９  クリック溝（クラッチ機構）
１２２  クリックボール（クラッチ機構）
２００  ＣＰＵ
２１１  モード位置検出器
２１２  ダイヤル駆動機構
【図１】
2005257726.tif 000003
【図２】
2005257726.tif 000004
【図３】
2005257726.tif 000005
【図４】
2005257726.tif 000006
【図５】
2005257726.tif 000007
【図６】
2005257726.tif 000008
【図７】
2005257726.tif 000009
【図８】
2005257726.tif 000010
【図９】
2005257726.tif 000011
【図１０】
2005257726.tif 000012